(57)【要約】【課題】プリントチャンネルの設定のために、すべてのコマ画像毎に、プリントチャンネル設定のためのメニュー画面を表示させ、キー入力しなければならないという手間があった。【解決手段】本発明は、すべてのコマ画像に対して設定されるプリントチャンネルである主プリントチャンネルと、付加的にプリントするコマ画像に対して設定されるプリントチャンネルである付加プリントチャンネルを１以上選択し、コマ画像が表示される画面上で、付加プリントチャンネルでプリントするコマ画像を設定可能とし、コマ画像の写真プリントを作成する際に、プリントチャンネルを主プリントチャンネルから付加プリントチャンネルに切り換える制御をすることを特徴とする写真処理装置である。【選択図】図１
2006276183.tif 000002
【特許請求の範囲】
【請求項１】
画像データを取得する画像データ取得部と、
前記画像データをプリントする際のプリントサイズを含むプリント状態に関する情報であるプリントチャンネルを設定するプリントチャンネル設定部と、
前記設定されたプリントチャンネルのうちの少なくとも２つを選択可能なプリントチャンネル選択部と、
前記プリントチャンネル選択部がプリントチャンネルを選択した後に、前記取得した画像データをコマ画像として画面表示する表示部と、
前記選択されたプリントチャンネルに基づいて、前記画像データから写真プリントを作成するプリント手段とを備えた写真処理装置において、
前記プリントチャンネル選択部は、すべてのコマ画像に対して設定されるプリントチャンネルである主プリントチャンネルと、付加的にプリントするコマ画像に対して設定されるプリントチャンネルである付加プリントチャンネルを１以上選択し、
前記コマ画像が表示される画面上で、前記付加プリントチャンネルでプリントするコマ画像を設定可能とする付加プリントコマ画像設定手段と、
前記付加プリントコマ画像設定手段で設定されたコマ画像の写真プリントを作成する際に、プリントチャンネルを主プリントチャンネルから付加プリントチャンネルに切り換える制御をするプリントチャンネル切換制御部を、さらに具備することを特徴とする写真処理装置。
【請求項２】
前記プリントチャンネル切換制御部は、主プリントチャンネルで写真プリントの作成を行った後に、付加プリントチャンネルで写真プリントの作成を行うように、プリントチャンネルの切り換えを行う請求項１に記載の写真処理装置。
【請求項３】
前記プリントチャンネル切換制御部は、プリントペーパーを切り換えるか否かを判断し、プリントペーパーを切り換える場合に、プリントペーパーを収納するペーパーマガジンを切り換えるように制御する請求項１又は請求項２に記載の写真処理装置。
【請求項４】
前記プリントチャンネル切換制御部は、コマ画像毎に、主プリントチャンネルと付加プリントチャンネルの切り換えを行える請求項１又は請求項３のいずれかに記載の写真処理装置。
【請求項５】
画像データを取得する画像データ取得部と、
前記画像データをプリントする際のプリントサイズを含むプリント状態に関する情報であるプリントチャンネルを設定するプリントチャンネル設定部と、
前記設定されたプリントチャンネルのうちの少なくとも２つを選択可能なプリントチャンネル選択部と、
前記プリントチャンネル選択部がプリントチャンネルを選択した後に、前記取得した画像データをコマ画像として画面表示する表示部と、
前記選択されたプリントチャンネルに基づいて、前記画像データから写真プリントを作成するプリント手段とを備えた写真処理装置において、
前記プリントチャンネル選択部は、前記表示部で表示されたコマ画像の写真プリントを作成するためのプリントチャンネルを選択し、
前記プリントチャンネル選択部で選択されたプリントチャンネルに基づいて、前記コマ画像の写真プリントを作成するように構成したことを特徴とする写真処理装置。
【発明の詳細な説明】
【技術分野】
【０００１】
本発明は、画像データを画像処理して生成される露光用画像データをプリント処理する写真処理装置に関する。より詳細には、画像データを表示させながら、仕上がりプリントサイズを複数設定可能に構成した写真処理装置に関するものである。
【背景技術】
【０００２】
従来技術において、色や濃度等の補正データの入力作業を行う際に、同一のコマ画像について複数のプリントチャンネル（すなわち、仕上がりプリントサイズ）を設定することができる写真処理装置があった（特許文献１参照）。
【特許文献１】特開２００１−１３３９００号公報
【発明の開示】
【発明が解決しようとする課題】
【０００３】
しかしながら、従来の写真処理装置において、取得されたネガフィルムのコマ画像を表示部にシミュレート画像として表示させ、かかる表示されたコマ画像を確認しながら、オペレータが、コマ画像毎に補正データを入力し、その入力後に、プリントチャンネル設定のためのメニュー画面を表示させて、キーボードの特定のキー入力により、プリントチャンネルを設定していた。すなわち、プリントチャンネルの設定のために、すべてのコマ画像毎に、プリントチャンネル設定のためのメニュー画面を表示させ、キー入力しなければならないという手間があった。また、プリントチャンネルの設定をすべてのコマ画像に対して行うため、補正データの入力設定及びプリントチャンネル設定のためのオペレータの操作時間が長くなっていた。このように操作の手間が多く、かつ操作時間が長くなると、オペレータの操作が煩雑になりやすく、結果、誤ったプリントチャンネルを設定して、そのまま不必要なプリントをしてしまい、再度、プリント処理をやり直さなければならないという問題を生じる。
【課題を解決するための手段】
【０００４】
上記の課題を解決するために、本発明は、画像データを取得する画像データ取得部と、画像データをプリントする際のプリントサイズを含むプリント状態に関する情報であるプリントチャンネルを設定するプリントチャンネル設定部と、設定されたプリントチャンネルのうちの少なくとも２つを選択可能なプリントチャンネル選択部と、プリントチャンネル選択部がプリントチャンネルを選択した後に、取得した画像データをコマ画像として画面表示する表示部と、選択されたプリントチャンネルに基づいて、画像データから写真プリントを作成するプリント手段とを備えた写真処理装置において、プリントチャンネル選択部は、すべてのコマ画像に対して設定されるプリントチャンネルである主プリントチャンネルと、付加的にプリントするコマ画像に対して設定されるプリントチャンネルである付加プリントチャンネルを１以上選択し、コマ画像が表示される画面上で、付加プリントチャンネルでプリントするコマ画像を設定可能とする付加プリントコマ画像設定手段と、付加プリントコマ画像設定手段で設定されたコマ画像の写真プリントを作成する際に、プリントチャンネルを主プリントチャンネルから付加プリントチャンネルに切り換える制御をするプリントチャンネル切換制御部を、さらに具備することを特徴とする写真処理装置である。
【０００５】
かかる構成によって、予め、主プリントチャンネルと付加プリントチャンネルを設定した後に、付加プリントチャンネルでプリントするコマ画像を簡単に設定することができる。よって、補正データの入力後に、プリントチャンネルの設定をすべてのコマ画像毎にする必要がなく、オペレータの操作の手間を省き、操作時間を短縮できる。その結果、オペレータの操作が煩雑になって、誤ったプリントチャンネルを設定し、そのまま不必要なプリントをしてしまうということがなくなる。
【０００６】
その他の本発明は、プリントチャンネル切換制御部は、主プリントチャンネルで写真プリントの作成を行った後に、付加プリントチャンネルで写真プリントの作成を行うように、プリントチャンネルの切り換えを行うことを特徴とする写真処理装置である。
【０００７】
かかる構成によって、一のプリントチャンネルでの写真プリント作成が終了した後に、他のプリントチャンネルでの写真プリントを作成できる。従って、プリントチャンネルを頻繁に切り換える必要がなく、最少のプリントチャンネルの切り換え回数でよいので不必要にプリント処理時間が長くなることがない。
【０００８】
また、他の本発明は、プリントチャンネル切換制御部は、プリントペーパーを切り換えるか否かを判断し、プリントペーパーを切り換える場合に、プリントペーパーを収納するペーパーマガジンを切り換えるように制御する写真処理装置である。
【０００９】
かかる構成によって、プリントチャンネルを切り換える際に、プリントペーパーを切り換える必要があれば、プリントペーパー（ペーパーマガジン）を切り換え、写真プリントを作成することができる。また、プリントペーパーを切り換える必要がなければ、プリントペーパーを切り換えることなく、写真プリントを作成できる。
【００１０】
また、他の本発明は、プリントチャンネル切換制御部は、コマ画像毎に、主プリントチャンネルと付加プリントチャンネルの切り換えを行える写真処理装置である。
【００１１】
かかる構成によって、コマ画像毎に、主プリントチャンネルから付加プリントチャンネルに切り換えることができる。例えば、コマ画像毎に、Ｌ判とパノラマの写真プリントが装置外部に排出されるので、オペレータは、同一のコマ画像に対して複数のプリントサイズの写真プリントを簡単に確認できる。
【００１２】
また、他の本発明は、画像データを取得する画像データ取得部と、画像データをプリントする際のプリントサイズを含むプリント状態に関する情報であるプリントチャンネルを設定するプリントチャンネル設定部と、設定されたプリントチャンネルのうちの少なくとも２つを選択可能なプリントチャンネル選択部と、プリントチャンネル選択部がプリントチャンネルを選択した後に、取得した画像データをコマ画像として画面表示する表示部と、選択されたプリントチャンネルに基づいて、画像データから写真プリントを作成するプリント手段とを備えた写真処理装置において、プリントチャンネル選択部は、表示部で表示されたコマ画像の写真プリントを作成するためのプリントチャンネルを選択し、プリントチャンネル選択部で選択されたプリントチャンネルに基づいて、コマ画像の写真プリントを作成するように構成したことを特徴とする写真処理装置である。
【００１３】
かかる構成によって、画面に表示した任意のコマ画像の写真プリントを簡単に作成できる。
【発明を実施するための最良の形態】
【００１４】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
（実施の形態１）
図１は、本実施の形態における写真処理装置１の構成を示すブロック図である。写真処理装置１は、画像データ取得部１０、画像データ格納部２０、補正データ格納部２１、プリントチャンネル設定データ格納部２２、装置制御手段３０、表示部４０、入力部５０、データ蓄積部６０、露光用画像データ生成手段７０、プリント手段８０及びプリントチャンネル切換制御部９０を有する。
【００１５】
装置制御手段３０は、ＧＵＩ３１、画像処理部３２、プリントチャンネル設定部３３、プリントチャンネル選択部３４、付加プリントコマ画像設定手段３５及びハード制御部３６を有する構成であるが、その他に、写真処理装置１の全体的な動作を制御する機能を有し、その機能は、ソフトウェアとハードウェアとで実現される。
【００１６】
露光用画像データ生成手段７０は、送受信メモリ７１、画像処理手段７２及びファームウェア７３を有する構成である。
【００１７】
プリント手段８０は、露光エンジン８１、第１ペーパーマガジン８２、第２ペーパーマガジン８３及びマガジン切換手段８４を有する構成である。
【００１８】
なお、写真処理装置１は、不図示の、ＣＰＵ、ＭＰＵ、メモリ、制御バス、データバス、及びメモリ等の記憶媒体等を有する。以下に、各々の構成について説明する。
【００１９】
以下、本発明において、「プリントチャンネル」とは、プリントサイズを含むプリント状態に関する情報であって、例えば、ペーパーマガジン、プリントサイズ、白縁の有無とその幅等の情報である。なお、プリントチャンネルは、基本的にプリントサイズが異なるとプリントチャンネルが異なる。
【００２０】
また、「主プリントチャンネル」とは、すべてのコマ画像に対して設定されるプリントチャンネルである。「付加プリンチャンネル」とは、主プリントチャンネルでのプリントとは別に、付加的にプリントするコマ画像に対して設定されるプリントチャンネルである。例えば、「主プリントチャンネル」が「L判」で設定されている場合に、「付加プリントチャンネル」を「パノラマ」または「２L判」等に設定できる。
【００２１】
また、「プレジャッジ」とは、画面に表示させたコマ画像に対して、色や濃度等の補正データを入力し、この補正データに基づいて画像データを画像処理して表示させ、色・濃度等が適切か否かをオペレータによって判断することである。そして、「プレジャッジ画面」とは、「プレジャッジ」をするための画面である。
【００２２】
また、「付加プリントコマ画像識別情報」とは、付加プリントチャンネルでプリント処理するコマ画像を識別するための情報である。
【００２３】
画像データ取得部１０は、画像データを取得する。ここで、「画像データ」とは、画像として認識されるデータであって、かつ、写真プリントの作成に用いられるデータである。また、「画像データ」は、例えば、ポジフィルム上のコマ画像、ネガフィルム上のコマ画像から読み取られるデジタルデータである。
【００２４】
画像データ取得部１０は、各種フィルム上の画像データを取得する場合（例えば、１３５カラーネガ、１３５黒白ネガ、１３５ポジ、ＡＰＳネガ等）、フィルムスキャナー（スキャナー装置）で実現できる。
【００２５】
また、画像データ取得部１０は、メディア（例えば、ＣＤ−Ｒ、ＤＶＤ、ＭＯ、ＺＩＰ（登録商標）、フロッピーディスク（登録商標）、コンパクトフラッシュ(登録商標)、スマートメディア（登録商標）、ＰＣカード、メモリースティック（登録商標）、ＳＤカード等）に記録された画像データを取得する場合、メディアに対応する読取装置、およびその制御手段によって実現される。メディアが、例えば、ＤＶＤの場合は、画像データ取得部１０は、ＤＶＤドライブとＤＶＤドライバーで実現できる。
【００２６】
また、画像データ取得部１０は、画像データを、外部の装置から、有線または無線通信を介して受信してもよい。かかる場合、画像データ取得部１０は、受信手段で実現できる。また、受信する処理手順は、通常、ソフトウェアで実現され、当該ソフトウェアはＲＯＭ等の記録媒体に記録されている。但し、ハードウェア（専用回路）で実現しても良い。
【００２７】
画像データ格納部２０は、画像データ取得部１０が取得した画像データを、一時的に格納する。なお、「一時的に格納する」とは、例えば、格納されてから所定期間経過後に自動的に消去されるまで格納する場合や、画像処理やプリント処理等の任意の処理が終了するまで消去されず格納する場合等を意味するものであり、以下同様である。
【００２８】
補正データ格納部２１は、補正データを、一時的に格納する。ここで「補正データ」は、画像データに対する補正に関するデータであり、色・濃度の補正に関するものだけではなく、赤目補正、逆光補正、階調補正のような特殊な補正に関する補正パラメータ、プリント枚数のデータも補正データに含まれる。また、補正データは、付加プリントコマ画像識別情報を有する場合もある。
【００２９】
プリントチャンネル設定データ格納部２２は、後述するプリントチャンネル設定部３３によって設定されたプリントチャンネルのデータであるプリントチャンネル設定データを格納する。また、プリントチャンネル設定データは、後述するプリントチャンネル選択部３４で選択された主プリントチャンネルに選択された旨の情報と、付加プリントチャンネルに選択された旨の情報を有する。
【００３０】
ＧＵＩ３１は、グラフィカル・ユーザー・インターフェイスであり、後述する表示部４０の表示画面を介して画像処理に関するデータ入力操作等を行う機能を有している。図２は、ＧＵＩ３１による、操作画面の例を示す図である。図２において、「プリントチャンネル設定」ボタンは、プリントチャンネルを設定することができるフィールドを表示させるためのボタンである。また、「入力」の「ネガ」ボタンは、ネガフィルムのスキャンを開始するためのボタンである。「ＰＪＰ」ボタンは、プレジャッジ画面への切換を行うボタンである。
【００３１】
ＧＵＩ３１は、画像データ格納部２０から画像データを取得し、４枚分の画像データを表示画面に表示する。なお、表示画面に表示させる画像の枚数は４枚分でなく、例えば、６枚、８枚というように適宜設定することができる。オペレータは、この表示画面を見ながら適切な色・濃度により写真プリントが作成されるか否かを判断（すなわち、プレジャッジ）することができる。
【００３２】
かかる表示画面上で、画像データの色や濃度の補正を行う。この補正の設定方法としては、後述する入力部５０から、例えば、Ｙ（イエロー)、Ｍ(マゼンタ)、Ｃ（シアン)の各色に対する補正データ、あるいは、濃度に対する補正データを入力する方法がある。
【００３３】
画像処理部３２は、後述する入力部５０（例えば、キーボード、マウス）から入力された補正データ（例えば、色や濃度等）に基づいて、表示画面に表示されている画像データを画像処理する。この画像処理の手順や方法は、従来技術であるので、ここでの詳細な説明は省略する。画像処理された画像データは、ＧＵＩ３１により、表示画面に表示され、オペレータは、表示された画像データの画質が適切か否かを判断し、良ければ、次の画像データに対して、上記で説明した補正データの入力と画像処理を繰り返す。すなわち、かかる補正データの入力はある程度試行錯誤的に行われるものであり、最終的に確定された補正データは、補正データ格納部２１に一旦格納される。なお、補正データは、個々の画像データに付随した形のデータとなる。
【００３４】
なお、表示画面に表示される画像のサイズは、入力された画像データのサイズとは異なり、通常はサイズが小さくなったサムネイル画像が画面表示される。このサムネイル画像データを生成する処理も画像処理部３２の機能であり、表示画面を見ながら行われる画像処理もサムネイル画像データに基づいて行われるものである。
【００３５】
プリントチャンネル設定部３３は、プリントチャンネルを設定する。設定手順の一例を図２を用いて説明する。オペレータが「プリントチャンネル設定」ボタンをクリックすると、プリントチャンネルを設定するためのフィールドが表示される。このフィールド上で、プリントチャンネルを設定できる。例えば、「チャンネル１」のプリントサイズをL判にする場合、サイズのフィールドの横に配置されたボタンをクリックし、設定したいプリントサイズ（ここでは、Ｌ判）を選択する。また、「チャンネル１」のペーパーマガジンを第１ペーパーマガジンにする場合に、マガジンのフィールドの横に配置されたボタンをクリックして、「第1ペーパーマガジン」を選択する。その他のプリントチャンネルに対しての設定が終了したら、「設定確定」ボタンをクリックする。これにより、選択されたサイズやペーパーマガジン等がプリントチャンネル設定データとして、プリントチャンネル設定データ格納部２２に格納される。
【００３６】
なお、設定手順は、上記の説明に限定されず、キーボードから直接手入力することもできる。さらに、プリントチャンネル設定データは、予め設定されているものでもよく、かかる場合において、プリントチャンネル設定データは、プリントチャンネル設定データ格納部２２に、格納されている。
【００３７】
プリントチャンネル選択部３４は、プリントチャンネル設定部３３で設定されたプリントチャンネルのうちの少なくとも２つを選択可能にできるものであるが、具体的には、すべてのコマ画像に対して設定されるプリントチャンネルである主プリントチャンネルを選択すると共に、付加的にプリントするコマ画像に対して設定されるプリントチャンネルである付加プリントチャンネルを１以上選択できる。
【００３８】
かかる設定手順の一例を図３を用いて説明する。オペレータが「プリントチャンネル選択」ボタンをクリックすると、プリントチャンネル設定データ格納部２２からプリントチャンネル設定データを読み出し、読み出したプリントチャンネル設定データに基づいて、プリントチャンネルを選択するためのフィールドを作成し、表示する。表示されたフィールドは、プリントチャンネルの種類である「チャンネル１」、「チャンネル２」等、主プリントチャンネルを選択するためのチェックボックス、付加プリントチャンネルを選択するためのチェックボックス等で構成されている。ここで「第１付加」とは、主プリントチャンネルでのプリント処理が終了した後初めて付加プリントする際に、プリント処理に用いられるプリントチャンネルを意味し、「第２付加」とは、付加プリントする際に、「第1付加」で選択されたプリントチャンネルでのプリント処理が終了した後に、プリント処理に用いられるプリントチャンネルを意味する。
【００３９】
チャンネル１を主プリントチャンネルに選択する場合、チャンネル１の「主」チェックボックスをクリックする（クリックするとチェックボックスが白抜きから黒に変わる）。また、チャンネル３を第1付加プリントチャンネルに選択する場合、チャンネル３の「第1付加」チェックボックスをクリックする。そして、チャンネル２を第２付加プリントチャンネルに選択する場合は、チャンネル２の「第２付加」チェックボックスをチェックする。
【００４０】
プリントチャンネルの選択が終了したら、「選択確定」ボタンをクリックする。これにより、選択されたプリントチャンネルを区別するようにプリントチャンネル設定データが構成され、プリントチャンネル設定データ格納部２２に格納される（図７参照）。
【００４１】
なお、付加プリントチャンネルを２つ選択する例を説明したが、選択の数は任意に設定でき、特に限定されない。また、選択の方法として、チェックボックスをクリックするようにしたが、例えば、「主プリントチャンネル」として「チャンネル１」という文字を直接手入力するように構成してもよく、選択の方法は、特に限定されない。
【００４２】
付加プリントコマ画像設定手段３５は、コマ画像が表示される画面上で、付加プリントチャンネルでプリントするコマ画像を設定する機能を有する。かかる設定手順の詳細は後述する。
【００４３】
ハード制御部３６は、露光用画像データ生成手段７０に対する制御を行う。例えば、画像データとそれに対応する補正データを、後述するハードディスク６１から露光用画像データ生成手段７０に転送する制御をする。
【００４４】
表示部４０は、ＧＵＩ３１の起動に基づいて、プリント処理における操作画面を表示する。表示部４０は、例えば、液晶ディスプレイ、ＣＲＴディスプレイ、有機ＥＬディスプレイ、プラズマディスプレイ等で実現できる。
【００４５】
入力部５０は、オペレータの入力操作における指示を受け付ける機能を有する。「指示」の内容は、例えば、プリントチャンネルの設定の指示、プリントチャンネルの選択の指示、付加プリントするコマ画像の設定の指示、補正データの指示、その他写真処理装置１の操作において必要な指示等である。
【００４６】
入力部５０は、キーボードとそのドライバーソフト、マウスとそのドライバーソフト等で実現できる。また、入力部５０は、タッチパネルとその制御手段等で実現されてもよい。
【００４７】
データ蓄積部６０は、画像データと補正データを写真処理装置１に内蔵の記録媒体（通常は、ハードディスク６１）に蓄積する。かかる蓄積は、オーダー単位で行われる。オーダーの概念については、写真店において適宜設定することができるものであるが、例えば、写真フィルム１本、記録媒体１個を１オーダーとして扱うことができる。蓄積される画像データと補正データにはオーダーＩＤが付与されオーダー単位で管理される。かかる蓄積されたデータのデータ構造は、特に限定されない。
【００４８】
また、プレジャッジ画面上で画像処理を行い、直ちにプリント処理を行うような場合であっても、データをデータ蓄積部６０によって蓄積しておくようにしている。これは、一度プリント処理を行った場合でも、付加プリントチャンネルでのプリント処理や、焼き直し処理又は焼き増し処理を行うことがあるので、オーダデータとして保存しておくことが好ましい。画像データと補正データとを対応付けて保存しておけば、焼き直し処理等を行う場合に同じ画像処理を繰り返して行う必要がなく、画像処理を行った結果を補正データとして残しているので、再度活用することができる。従って、プリント処理を行っても画像データや補正データを削除してしまうのではなく、前述したように、データ蓄積部６０がデータをハードディスク６１等に蓄積・保存する。
【００４９】
露光用画像データ生成手段７０は、画像データを画像処理して露光用画像データを生成する。露光用画像データ生成手段７０は、送受信メモリ７１と画像処理手段７２とファームウェア７３とが設けられている。送受信メモリ７１は、データ蓄積部６０によって蓄積された画像データ、それに対応した補正データを受け取る。画像処理手段７２は、画像処理部３２とは異なり、ハードウェアで構成されている。補正データに基づいて、ファームウェア７３による処理内容を設定することができ、これに基づいて、露光用画像データを生成するための処理が行われる。以上のように、ハードウェアを中核として露光用画像データ生成手段７０が構成されているので、露光用画像データ生成手段７０による画像処理は高速に処理される。なお、露光用画像データ生成手段７０の画像処理の機能をソフトウェアとＭＰＵ、メモリ等のハードウェア等で実現することもできる。
【００５０】
画像処理手段７２において行われる画像処理は、補正データに基づいて行う色・濃度が補正された形の露光用画像データを生成するだけでなく、プリントサイズに応じた拡大処理、あるいは、画像の縦横を変換する回転処理、必要に応じて行われる赤目補正や逆光補正等の特殊補正、仕上がりの写真プリントの色合いとディスプレイ画面における色合いを合わせるためのカラーマッチング補正、現像処理液の種類や経時変化を考慮した補正等がなされた露光用画像データを生成できる。また、ＪＰＥＧ等の圧縮ファイル形式の画像データをビットマップに展開する処理も行われる。画像処理手段７２により処理された結果得られた露光用画像データは、送受信メモリ７１に送られる。そして、送受信メモリ７１に格納された露光用画像データは、プリント手段８０に転送される。
【００５１】
次に、プリント手段８０の構成を簡単に説明する。
【００５２】
露光エンジン８１は、露光用画像データ生成手段７０から転送されてきた露光用画像データを用いて、ペーパーの乳剤面の画像を露光形成する。露光エンジン８１は、一定速度で副走査方向に搬送されるペーパーに対して、露光光を主走査方向に走査することで潜像を形成させる。露光エンジン８１としては、種々の構造のものを採用することができ、例えば、レーザーエンジン、ＰＬＺＴエンジン、ＣＲＴエンジン等を採用することができる。
【００５３】
露光エンジン８１により画像を焼付露光されたペーパーは、不図示の現像処理手段に送り込まれ現像処理が施された後、不図示の乾燥処理手段で乾燥処理が施され、不図示のペーパー排出手段から仕上がりの写真プリントが装置外部に排出される。排出された写真プリントは、１オーダー単位で不図示の集積手段に集積される。
【００５４】
第1ペーパーマガジン８２及び第２ペーパーマガジン８３は、写真感光材料である長尺状のプリントペーパーをロールに巻き取られた形態で収容する。これにより、ペーパーサイズの異なるものを複数種類予め用意しておくことができる。いずれかのペーパーマガジンから引き出されたペーパーは、所定の搬送経路に沿って搬送されるように構成され、搬送経路途上に設けられたペーパーカッター８４２（図４参照）により、所定のプリントサイズに切断される。切断されたプリントペーパーは、露光エンジン８１に搬送される。なお、写真処理装置１は、ペーパーマガジンを３つ以上配置できるように構成することもできる。
【００５５】
マガジン切換手段８４は、一のペーパーマガジン内のプリントペーパーから、その他のプリントペーパーに切り換えて供給するようにプリントチャンネルを切り換える機構を有する。かかる機構は従来技術であり、ここでは、図４を参照しながら簡単に説明する。
【００５６】
使用状態の第１ペーパーマガジン８２に対応する第１のアクセスモータ８２１と導入搬送機構８４１とを同時に、同期状態で逆転作動させ、この逆転により第１のプリントペーパー８２２の端部を第１ペーパーマガジン８２内に戻す。この操作後に、第２のアクセスモータ８３１と導入搬送機構８４１とを正転方向（第２のプリントペーパー８３２を露光エンジン８１の側に送り出す方向）に駆動し、第２ペーパーマガジン８３内の第２のプリントペーパー８３２を処理可能な位置まで送り込む。このようにして、第１のプリントペーパー８２２から第２のプリントペーパー８３２に切り換わる。
【００５７】
プリントチャンネル切換制御部９０は、主プリントチャンネル及び付加プリントチャンネルのプリントペーパーに画像データをプリントできるか否かを判断する。具体的には、プリントチャンネル切換制御部９０は、プリント手段８０で検出されたプリントペーパーの残り長さが、所定値以下か否かを判断するものである。プリントペーパーの残り長さは、例えば、プリントペーパーを搬送する搬送機構を駆動するモータ等の回転量（ステッピングモータで構成されている場合には駆動パルスの数と比例する）に基づいて計測するものとなっている。特に、ロータリエンコーダ等の専用のセンサを用いて消費されたプリントペーパーの長さを計測するように構成することも可能である。  また、プリントチャンネル切換制御部９０は、付加プリントコマ画像設定手段３５で設定されたコマ画像の写真プリントを作成する際に、プリントチャンネルを主プリントチャンネルから付加プリントチャンネルに切り換える制御をする。また、プリントチャンネル切換制御部９０は、主プリントチャンネルで写真プリントの作成を行った後に、付加プリントチャンネルで写真プリントの作成を行うように、プリントチャンネルの切り換えを行うことができる。すなわち、プリントチャンネル切換制御部９０は、主プリントチャンネルでコマ画像のすべてをプリント処理した後、選択されたコマ画像に対する付加プリントチャンネルでのプリント処理を可能としている。また、プリントチャンネル切換制御部９０は、プリントペーパーを切り換えるか否かを判断し、プリントペーパーを切り換える場合に、プリントペーパーを収納するペーパーマガジンを切り換えるように制御することができる。すなわち、主プリントチャンネルから付加プリントチャンネルにチャンネルを切り換える場合において、プリントペーパーを切り換える必要がなければ、そのままのプリントペーパーでプリント処理を続行し、プリントペーパーを切り換える必要があれば、マガジン切換手段８４による、プリントパーパーの切換処理を制御する。  例えば、８９ｍｍ幅のプリントパーパーにおけるＬ判からパノラマへのプリントチャンネルの切り換えでは、プリントペーパーを切り換える必要がなく、画像処理手段７２における、画像データの拡大処理のみでプリントが可能となる。また、８９ｍｍ幅のプリントパーパーにおけるＬ判のプリントから２Ｌ判へのプリントチャンネルの切り換えでは、プリントペーパーの切換処理が必要となる。
【００５８】
なお、プリントチャンネル切換制御部９２は、例えば、Ｌ判からパノラマへのプリントチャンネルの切り換えのように、プリントペーパーを切り換える必要がない場合においても、例えば、プリントペーパーの残り量が少ない場合等には、プリントペーパーを切り換えるようにしてもよく、任意に設定可能である。
【００５９】
また、プリントチャンネル切換制御部９２は、コマ画像毎に、主プリントチャンネルと付加プリントチャンネルの切り換えを行えることもできる。例えば、Ｌ判で写真プリントを作成している途中に、任意のコマ画像に対して２Ｌ判やパノラマ等で写真プリントを作成できる。
上述した、画像データ格納部２０、補正データ格納部２１及びプリントチャンネル設定データ格納部２２は、不揮発性の記録媒体が好適であるが、揮発性の記録媒体でも実現可能である。格納するための処理手順は、通常、ソフトウェアで実現され、当該ソフトウェアはＲＯＭ等の記録媒体に記録されている。画像データ格納部２０、補正データ格納部２１及びプリントチャンネル設定データ格納部２２は、通常、ハードディスク、ＤＲＡＭ、ＳＲＡＭ、または、ＥＰＲＯＭ等で構成されている。なお、画像データ格納部２０、補正データ格納部２１及びプリントチャンネル設定データ格納部２２は、物理的に一体の記録媒体で構成されていてもよく、物理的に別体の記録媒体で構成されていてもよい。
【００６０】
また、画像処理部３２、プリントチャンネル設定部３３、プリントチャンネル選択部３４、付加プリントコマ画像設定手段３５、ハード制御部３６、データ蓄積部６０及びプリントチャンネル切換制御部９０は、通常、ＭＰＵやメモリ等で実現され得る。かかる各々の機能を実現するための処理手順は、通常、ソフトウェアで実現され、当該ソフトウェアはＲＯＭ等の記録媒体に記録されている。
【００６１】
以下、写真処理装置１の動作について図５のフローチャートを用いて説明する。プリントチャンネルの設定とプリントチャンネルの選択（主プリントチャンネル及び付加プリントチャンネルの選択）の処理手順は、上記で説明したので、以下のフローチャートでは説明を省略する。ＧＵＩ３１が起動され、表示部４０の画面上には、操作画面の初期画面であるオーダー画面が表示される。ネガフィルムをプレスキャンする動作から説明する。
【００６２】
（ステップＳ１）オペレータが画像データ取得部１０のスキャナー装置上に、ネガフィルムをセットし、オペレータが「ネガ」ボタン（図３参照）をクリックしたことに応じて、スキャナー装置がネガフィルムをスキャンする。ここでのスキャンニングは、低解像度の画像データを取得するために行われる。スキャンされた画像データは、画像データ格納部２０に格納される。
【００６３】
（ステップＳ２）画像処理部３２は、画像データ格納部２０に格納されている画像データを読み出し、この画像データをサムネイル処理する。
【００６４】
（ステップＳ３）ＧＵＩ３１は、オーダー画面からプレジャッジ画面に切り換える。次に、ＧＵＩ３１は、画像処理部３２がサムネイル処理した画像データ（以下、「サムネイル画像」という）をプレジャッジ画面に形成されたフィールドに、コマ画像毎に表示する（図８参照）。
【００６５】
（ステップＳ４）付加プリントコマ画像設定手段３５は、付加プリントするコマ画像を設定する（付加プリントコマ画像識別情報を設定する）。具体的には、例えば、オペレータは、入力部５０（例えば、マウス等）を用いて、コマ画像を表示するフィールドの上部のチェックボックスをチェックすることで、付加プリントするコマ画像を設定することができる（図８参照）。かかる操作で設定された付加プリントコマ画像識別情報は、補正データの一部として記録されてもよく、画像データまたは補正データに対応づけて、写真処理装置１に内蔵の記録媒体に記録されてもよい。
【００６６】
（ステップＳ５）オペレータは、各種の補正データを入力する。例えば、オペレータがマウスを用いて、色補正値ボタンをクリックしたり、濃度補正値ボタンをクリックしたりして補正データを入力する。入力された補正データは、補正データ格納部２１に格納される。
【００６７】
（ステップＳ６）全コマ画像について設定が終了したか否かを判断する。終了していない場合、ステップＳ４に戻る。終了した場合、ステップＳ７に行く。具体的には、次のコマ画像を表示するための「次」ボタンをクリックすると（図８参照）、ステップＳ４に戻り、画像データ格納部２０から、次の画像データを読み出し、付加プリントするコマ画像の設定、補正データの入力等の処理を繰り返す。
【００６８】
（ステップＳ７）オペレータがプレジャッジ画面上の「プリント」ボタンをクリックすると、プリント処理を開始するためのプリント処理指令がなされる。
【００６９】
（ステップＳ８）かかる指令によって、画像データ取得部１０のスキャナー装置は、ネガフィルムを本スキャンする。ここでは、ステップＳ１とは異なり、通常の解像度でスキャニングされる。スキャンニングされた画像データは、一時、画像データ格納部２０に格納される。その後、データ蓄積部６０は、画像データとそれに対応する補正データを対にして、ハードディスク６１に蓄積する。なお、補正データに付加プリントコマ画像識別情報が含まれていない場合は、データ蓄積部６０は、画像データとそれに対応する補正データとさらに付加プリントコマ画像識別情報を関連づけて蓄積することができる。
【００７０】
（ステップＳ９）送受信メモリ７１は、ハードディスク６１から画像データを読み出す。
【００７１】
（ステップＳ１０）送受信メモリ７１は、ハードディスク６１からステップＳ９で読み出された画像データに対応する補正データを読み出す。なお、送受信メモリ７１は、補正データに付加プリントコマ画像識別情報が含まれていない場合は、データ蓄積部６０は、ステップＳ９で読み出された画像データとこれに対応する補正データ及び付加プリントコマ画像識別情報を読み出す。
【００７２】
（ステップＳ１１）画像処理手段７２は、画像データを、それに対応する補正データに基づいて、画像処理し、露光用画像データを生成する。生成された露光用画像データは、送受信メモリ７１に送られ、格納される。かかる画像処理は、コマ画像毎に行われるものであり、主プリントチャンネルに応じた画像処理がなされる。
【００７３】
（ステップＳ１２）送受信メモリ７１に格納された露光用画像データは、プリント手段８０に転送される。かかる転送の処理は、ハード制御部３６によってなされている。
【００７４】
（ステップＳ１３）露光エンジン８１は、ステップＳ１２で転送された露光用画像データに基づいて、主プリントチャンネルに応じた露光処理をする。ここで、すべてのコマ画像について、主プリントチャンネルでの露光処理が行われる。
【００７５】
（ステップＳ１４）プリントチャンネル切換制御部９０は、主プリントチャンネルでの露光処理が終了したか否かを判断する。終了した場合、ステップＳ１５に行き、そうでない場合ステップＳ１３に戻る。ステップＳ１３に戻ると、未処理の露光用画像データが露光処理される。
【００７６】
（ステップＳ１５）プリントチャンネル切換制御部９０は、付加プリントチャンネルが設定されているか否かを判断する。付加プリントチャンネルが設定されている場合、ステップＳ１６に行き、そうでない場合、終了する。具体的には、プリントチャンネル切換制御部９０が、プリントチャンネル設定データに基づいて判断する場合には、例えば、付加プリントチャンネルが選択されている旨のフラグ等が存在するか否かを判断してもよい。また、プリントチャンネル切換制御部９０が、付加プリントコマ画像識別情報に基づいて、付加プリントするコマ画像が設定されているか否かを判断してもよい。
【００７７】
（ステップＳ１６）プリントチャンネル切換制御部９０は、ペーパーマガジンを切り換える必要があるか否かを判断する。切り換える必要があると判断した場合、ステップＳ１７に行き、そうでない場合、ステップＳ１８に行く。
【００７８】
（ステップＳ１７）プリントチャンネル切換制御部９０は、ペーパーマガジンを切り換えるように、マガジン切換手段８４を制御する。マガジン切換手段８４は、例えば、第１ペーパーマガジン８２のプリントペーパーから第２ペーパーマガジン８３のプリントペーパーに、あるいは、第２ペーパーマガジン８３のプリントペーパーから第１ペーパーマガジン８２のプリントペーパーに、切り換える処理をする。
【００７９】
（ステップＳ１８）画像処理手段７２は、付加プリントチャンネルのプリントサイズになるように、画像データを画像処理し、露光用画像データを生成する。例えば、付加プリントチャンネルのプリントサイズがパノラマであれば、画像処理手段７２は、画像データと補正データに基づいて、露光用画像データを生成する際に、プリントサイズがパノラマサイズになるように拡大処理を行う。生成された露光用画像データは、送受信メモリ７１に送られ、格納される。
【００８０】
（ステップＳ１９）送受信メモリ７１に格納された露光用画像データは、プリント手段８０に転送される。
【００８１】
（ステップＳ２０）露光エンジン８１は、ステップＳ１９で転送された露光用画像データに基づいて、付加プリントチャンネルで露光処理をする。すなわち、ここで、選択された付加プリントするコマ画像について、付加プリントチャンネルでの露光処理が行われる。
【００８２】
（ステップＳ２１）付加プリントチャンネルでのプリント処理が終了したか否かを判断する。終了すると判断した場合、終了し、終了しないと判断した場合、ステップＳ２０に戻る。ステップＳ２０に戻ることで、未処理の露光用画像データが露光処理される。
【００８３】
なお、付加プリントチャンネルが複数ある場合、上記ステップＳ１５からステップＳ２１までの処理を繰り返す。
【００８４】
また、上述のフローチャートにおいて、付加プリントチャンネルでプリントするコマ画像の設定は、補正データの入力前になされていたが、これに限定されるものではなく、補正データの入力後に、付加プリントするコマ画像を設定することもできる。
【００８５】
また、上述のフローチャートにおいて、付加プリントチャンネルが選択されていることを前提にして、付加プリントチャンネルでプリントするコマ画像を設定するものであったが、付加プリントチャンネルが選択されていない場合に、ステップＳ４において、付加プリントチャンネルでプリントするコマ画像を選択する際に、付加プリントチャンネルも選択できるように構成することもできる（図１１参照）。
【００８６】
さらに、上述のフローチャートにおいて、主プリントチャンネルでプリント処理を終了した後に、付加プリントチャンネルでのプリント処理に移行する動作を説明するものであったが、主プリントチャンネルでのプリント処理の途中において、選択された複数のプリントチャンネルを相互に切り換えるように動作させることもできる。例えば、Ｌ判でのプリント処理の途中にパノラマのプリント処理を行わせるように構成できる。かかる構成において、ペーパーマガジンの切り換え処理を行わない場合には、主プリントチャンネルでの処理が終了した後に付加プリントチャンネルでのプリント処理をする場合と比較して、プリント処理速度が低下することもない。
【００８７】
以下、本実施の形態における写真処理装置１の具体的な動作について説明する。図６は、写真処理装置１の外観の例を示す図である。図６において、写真処理装置１は、スキャナー装置１１、液晶ディスプレイ４１、マウス５１、第１ペーパーマガジン８２の収納部、第２ペーパーマガジン８３の収納部、および、その他の構成要素から構成されている。
【００８８】
今、写真処理装置１の電源がＯＮであり、液晶ディスプレイ４１には、オーダー画面が表示されている。上述したように、プリントチャンネルを設定する（図２参照）。次に、図３で示したように、主プリントチャンネルには「チャンネル１（Ｌ判）が、第１付加プリントチャンネルには「チャンネル３（パノラマ）」が、第２付加プリントチャンネルには「チャンネル２（２Ｌ判）」が選択されているものとする。図７は、プリントチャンネル設定データの例を示す図である。図７において、ＩＤ「００１」のチャンネル１の「選択」の「主」は、チャンネル１が主プリントチャンネルに選択されたことを示す。また、ＩＤ「００３」のプリントチャンネルの「選択」の「第１」は、チャンネル３が第１付加プリントチャンネルに選択されたことを示す。また、ＩＤ「００２」のチャンネル２の「選択」の「第２」は、チャンネル２が第２付加プリントチャンネルに選択されたことを示す。
【００８９】
次に、プリントチャンネルの選択が終了したら、プレジャッジを行う。オペレータは、スキャン装置１１の所定位置に、ネガフィルムをセットし、「ネガ」ボタンをマウス５１でクリックする。この操作により、ネガフィルムがプレスキャンされ、スキャンされた画像データは、画像データ格納部２０に格納される。なお、プレスキャンされた画像データには、識別ＩＤとして、オーダーＩＤ「ＯＤ−０１」が付され、画像データと対に格納される。次に「ＰＪＰ」ボタンがクリックされると、オーダー画面からプレジャッジ画面に切り換わり、オーダーＩＤ「ＯＤ−０１」の画像データはサムネイル処理されて、プレジャッジ画面の所定のフィールドに表示される。図８は、プレジャッジ画面の例を示す図である。図８において、プレジャッジ画面は、４つのコマ画像を各々表示する４つのフィールドと、色や濃度の補正データを入力するための補正値入力ボタン、枚数入力フィールドと枚数の増減を入力するためのボタン、主プリントチャンネルを表示するフィールド、プリントを開始するための「プリント」ボタン等を有する構成である。
【００９０】
さらに、コマ画像を表示するフィールド上部に付加プリントチャンネルのプリントサイズである「パノラマ」及び「２Ｌ判」の文字と、付加プリントさせるコマ画像を選択するためのチェックボックス、付加プリントの枚数を示すフィールドと枚数の増減を入力するためのボタン等が表示される。今、オペレータは、付加プリントさせるコマ画像に対して、そのコマ画像を表示するフィールド上部のチェックボックスをチェックする。そして、付加プリントの枚数の増減を入力するためのボタンから枚数を入力する。かかる操作によって、付加プリントチャンネルでプリントされるコマ画像、その枚数等が付加プリントコマ画像識別情報として、写真処理装置１に内蔵の記録媒体に、または補正データの一部に記録される。図９は、付加プリントコマ画像識別情報のデータの例を示す図である。付加プリントコマ画像識別情報は、例えば、オーダーＩＤ、コマ画像番号、コマ画像、主プリントチャンネル、主プリント枚数、付加プリントチャンネル、付加プリント枚数を有して構成される。なお、付加プリントコマ画像識別情報には、コマ画像、主プリントチャンネル、主プリント枚数のデータを有さない構成でもよい。図９において、コマ画像番号「Ｎｏ１」の第１付加プリントチャンネルとして「チャンネル２（２Ｌ判）」、付加プリントの枚数は「１」枚が設定されている。コマ画像番号「Ｎｏ３」の第１付加プリントチャンネルとして、「チャンネル３（パノラマ）」が設定され、第２付加プリントチャンネルとして「チャンネル２（２Ｌ判）」が設定されている。また、「ＮＵＬＬ」となっている場合、付加プリントされないことを意味する。また、コマ画像番号「Ｎｏ２」の主プリント枚数が「０」となっているがこれは、主プリントチャンネルでプリント処理されないことを意味し、プレジャッジ画面上で、主プリントチャンネルでのプリント枚数をコマ画像毎に入力することができるようになっている。なお、付加プリントコマ画像識別情報のデータ構造は、特に限定されない。
【００９１】
また、このプレジャッジ画面上で、オペレータは、適宜、マウス５１を用いて、補正データを入力する。そして、ここで設定された補正データは、補正データ格納部２１に格納される。
【００９２】
また、「次」ボタンをクリックして、次の４つのコマ画像を表示させ、上述と同様の操作で、付加プリントチャンネルでプリントするコマ画像の設定や補正データ等の入力を行う。
【００９３】
次に、すべてのコマ画像に対して、付加プリントするコマ画像の設定と補正データの入力が終了したら、オペレータは、「プリント」ボタンをクリックする。この操作により、ネガフィルムが本スキャンニングされ、本スキャンニングされた画像データと補正データとがハードディスク６１に蓄積される。
【００９４】
今、予め、主プリントチャンネル（チャンネル１：Ｌ判、第１ぺーパーマガジン、８９ｍｍ幅ペーパー）でのプリント処理が終了後、付加プリントチャンネル（チャンネル３及びチャンネル２）でのプリント処理がなされるように設定されているものとして、以下、に具体的に説明する。
【００９５】
プリントチャンネル切換制御部９０は、主プリントチャンネルとして選択されたチャンネル１（Ｌ判、第１ペーパーマガジン、８９ｍｍ幅ペーパー）を、プリントチャンネル設定データ格納部２２に格納されているプリントチャンネル設定データ（図７参照）から取得する。このチャンネル１（Ｌ判、第１ペーパーマガジン、８９ｍｍ幅ペーパー）のデータに基づいて、プリントチャンネル切換制御部９０は、第１ペーパーマガジン８２から８９ｍｍ幅パーパーを引き出し、露光エンジン８１に搬送するように、プリント手段８０を制御する。カッター８４２は、８９ｍｍ幅パーパーを１２７ｍｍ長でカットするように制御される。
【００９６】
なお、プリントチャンネル切換制御部９０は、プリントペーパーの残量（残り長さ）を算出し、残量（残り長さ）が、プリントに必要なパーパー長さを有するか否かを判断する機能も有している。今、８９ｍｍ幅ペーパーは、プリントするのに十分な長さを有しているので、第１ペーパーマガジン８２から８９ｍｍ幅ペーパーが引き出され、露光エンジン８１に搬送できるものとする。
【００９７】
また、画像処理手段７２は、コマ画像番号「Ｎｏ１」から最後のコマ画像まで順番に、８９ｍｍ幅ペーパーにＬ判でプリントできるように、画像データを画像処理し、露光用画像データを生成する。この生成された露光用画像データは、プリント手段８０に転送され、露光処理される。
【００９８】
なお、コマ画像番号「Ｎｏ２」の画像データの主プリント枚数は「０」であるので、コマ画像番号「Ｎｏ２」の画像データは画像処理されず、プリント処理されない。
【００９９】
主プリントチャンネル（チャンネル１）で、すべてのコマ画像に対してプリント処理が終了した後、プリントチャンネル切換制御部９０は、第１付加プリントチャンネルとして選択されたチャンネル３（パノラマ、第１ペーパーマガジン、８９ｍｍ幅ペーパー）を、プリントチャンネル設定データ格納部２２に格納されているプリントチャンネル設定データ（図７参照）から取得する。このチャンネル３（パノラマ、第１ペーパーマガジン、８９ｍｍ幅ペーパー）に基づいて、プリントチャンネル切換制御部９０は、第１ペーパーマガジン８２から８９ｍｍ幅パーパーを引き出し、露光エンジン８１に搬送するように、プリント手段８０を制御する。既に第１ペーパーマガジン８２から８９ｍｍ幅ペーパーが引き出されているので、マガジンの切換処理は行われない。カッター８４２は、８９ｍｍ幅パーパーを所定のパノラマサイズでカットするように制御される。
【０１００】
そして、画像処理手段７２は、付加プリントコマ画像識別情報から第１付加プリントチャンネルでプリントするコマ画像番号を取得し、このコマ画像番号のコマ画像に対して、８９ｍｍ幅ペーパーにパノラマサイズでプリントできるように、画像データを画像処理し、露光用画像データを生成する。この生成された露光用画像データは、プリント手段８０に転送され、露光処理される。例えば、コマ画像番号「Ｎｏ３」と「Ｎｏ４」のコマ画像に対応する画像データがパノラマサイズになるように画像処理され、露光用画像データが生成される。
【０１０１】
第１付加プリントチャンネル（チャンネル３）で、プリントするコマ画像に対してのプリント処理が終了した後、プリントチャンネル切換制御部９０は、第２付加プリントチャンネルとして選択されたチャンネル２（２Ｌ判、第２ペーパーマガジン、１２７ｍｍ幅ペーパー）を、プリントチャンネル設定データ（図７参照）から取得する。このチャンネル２（２Ｌ判、第２ペーパーマガジン、１２７ｍｍ幅ペーパー）に基づいて、プリントチャンネル制御部９０は、第２ペーパーマガジン８３から１２７ｍｍ幅パーパーを引き出し、露光エンジン８１に搬送するように、プリント手段８０を制御する。既に第１ペーパーマガジン８２から８９ｍｍ幅ペーパーが引き出されているので、第１ペーパーマガジン８２の８９ｍｍ幅ペーパーから第２ペーパーマガジンの１２７ｍｍ幅ペーパーに切り換えるため、マガジン切換手段８４は、マガジン切換処理をする。カッター８４２は、１２７ｍｍ幅パーパーを１７８ｍｍの長さでカットするように制御される。
【０１０２】
そして、画像処理手段７２は、付加プリントコマ画像識別情報から第２付加プリントチャンネルでプリントするコマ画像番号を取得し、このコマ画像番号のコマ画像に対して、１２７ｍｍ幅ペーパーに２Ｌ判でプリントできるように、画像データを画像処理し、露光用画像データを生成する。この生成された露光用画像データは、プリント手段８０に転送され、露光処理される。例えば、コマ画像番号「Ｎｏ１」と「Ｎｏ４」のコマ画像に対応する画像データが２Ｌ判サイズになるように画像処理され、露光用画像データが生成される。
【０１０３】
第２付加プリントチャンネルでのプリント処理が終了したら、オーダーＩＤ「ＯＤ−０１」の写真プリント作成が完了したことになる。
【０１０４】
なお、付加プリントチャンネルでのプリント処理の順序において、はじめに第１付加プリントチャンネルで処理した後、次に、第２付加プリントチャンネルで処理するように構成されていたが、かかるプリント処理の順序は、特に限定されず、オペレータが任意に順序を設定できるように構成してもよい。  以上のように写真処理装置１を構成することによって、主プリントチャンネルでのプリント処理が完了したら、付加プリントチャンネルでのプリント処理を行うので、例えば、マガジン切換処理を最少回数にでき、プリント作業全体にかかる作業時間を最小にできる。
（実施の形態２）
以下においては、コマ画像毎に、主プリントチャンネルと付加プリントチャンネルを切り換える動作について説明する。なお、プリントチャンネルの設定、付加プリントチャンネルの選択、付加プリントするコマ画像の設定、プレジャッジ処理等は、上述した実施の形態１で説明したので、ここでの説明は省略する。
【０１０５】
まず、コマ画像番号「Ｎｏ１」のコマ画像をプリント処理する。プリントチャンネル切換制御部９０は、付加プリントコマ画像設定手段３５で設定された付加プリントコマ画像識別情報を取得する。コマ画像番号「Ｎｏ１」には、主プリントチャンネルとしてチャンネル１（Ｌ判、第１ペーパーマガジン、８９ｍｍ幅ペーパー）が設定され、第２付加プリントチャンネルとしてチャンネル２（２Ｌ判、第２ペーパーマガジン、１２７ｍｍ幅ペーパー）が設定されている（図９参照）。
【０１０６】
プリントチャンネル切換制御部９０は、チャンネル１（Ｌ判、第１ペーパーマガジン、８９ｍｍ幅ペーパー）のデータに基づいて、プリント手段８０を制御する。カッター８４２は、８９ｍｍ幅ペーパーを１２７ｍｍ長さでカットするように制御される。そして、画像処理手段７２は、８９ｍｍ幅ペーパーにＬ判でプリントできるように、コマ画像番号「Ｎｏ１」の画像データを画像処理し、露光用画像データを生成する。生成された露光用画像データはプリント手段８０に転送され、露光処理される。
【０１０７】
次に、プリントチャンネル切換制御部９０は、チャンネル２（２Ｌ判、第２ペーパーマガジン、１２７ｍｍ幅ペーパー）のデータに基づいて、プリント手段８０を制御する。マガジン切換手段８４は、第１ペーパーマガジン８２の８９ｍｍ幅ペーパーから第２ペーパーマガジン８３の１２７ｍｍ幅ペーパーに切り換える処理を行う。カッター８４２は、１２７ｍｍ幅ペーパーを１７８ｍｍ長さでカットするように制御される。そして、画像処理手段７２は、１２７ｍｍ幅ペーパーに２Ｌ判でプリントできるように、コマ画像番号「Ｎｏ１」の画像データを画像処理し、露光用画像データを生成する。生成された露光用画像データはプリント手段８０に転送され、露光処理される。
【０１０８】
次に、コマ画像番号「Ｎｏ２」のコマ画像をプリント処理する。コマ画像番号「Ｎｏ２」には、主プリントチャンネルとしてチャンネル１（Ｌ判、第１ペーパーマガジン、８９ｍｍ幅ペーパー）が設定されているが、プリント枚数が「０」枚であるので、主プリントチャンネルでのプリント処理がなされない。また、付加プリントチャンネルが選択されていないため、付加プリントチャンネルでのプリント処理も行われない。よって、次のコマ画像に対する処理が行われる。
【０１０９】
次に、コマ画像番号「Ｎｏ３」のコマ画像をプリント処理する。コマ画像番号「Ｎｏ３」には、主プリントチャンネルとしてチャンネル１（Ｌ判、第１ペーパーマガジン、８９ｍｍ幅ペーパー）が設定され、第１付加プリントチャンネルとしてチャンネル３（パノラマ、第１ペーパーマガジン、８９ｍｍ幅ペーパー）が設定されている（図９参照）。
【０１１０】
プリントチャンネル切換制御部９０は、チャンネル１のデータに基づいて、プリント手段８０を制御する。マガジン切換手段８４は、第２ペーパーマガジン８３の１２７ｍｍ幅ペーパーから第１ペーパーマガジン８２の８９ｍｍ幅ペーパーに切り換える処理を行う。カッター８４２は、８９ｍｍ幅ペーパーを１２７ｍｍ長さでカットするように制御される。そして、画像処理手段７２は、８９ｍｍ幅ペーパーにＬ判でプリントできるように、コマ画像番号「Ｎｏ３」の画像データを画像処理し、露光用画像データを生成する。生成された露光用画像データはプリント手段８０に転送され、露光処理される。
【０１１１】
次に、プリントチャンネル切換制御部９０は、チャンネル３（パノラマ、第１ペーパーマガジン、８９ｍｍ幅ペーパー）のデータに基づいて、プリント手段８０を制御する。マガジン切換手段８４は、マガジンの切換を行わない。カッター８４２は、８９ｍｍ幅ペーパーをパノラマサイズでカットするように制御される。そして、画像処理手段７２は、８９ｍｍ幅ペーパーにパノラマサイズでプリントできるように、コマ画像番号「Ｎｏ３」の画像データを画像処理し、露光用画像データを生成する。生成された露光用画像データはプリント手段８０に転送され、露光処理される。
【０１１２】
コマ画像番号「Ｎｏ４」以後のコマ画像に対しても、上記と同様の制御でプリント処理がなされる。  以上のように写真処理装置１を構成することによって、コマ画像毎にプリントチャンネルを切り換えることができ、コマ画像毎に、同一内容のプリントが連続してプリントされ排出されるので、オペレータは、例えば、Ｌ判とパノラマでプリントされた任意のコマ画像の写真プリントを同時に確認することができる。
【０１１３】
実施の形態１及び２において、写真処理装置１は、付加プリントチャンネルを２つ選択するものであったが、付加プリントチャンネルは、３つ以上選択することも可能であり、特に限定されない。
また、実施の形態１及び２において、プリントチャンネルの切換方法は、予め、設定されていたが、特に限定されず、例えば、プリントチャンネルの切換方法を設定するように構成しても良い。プリントチャンネルの切換方法の設定例を図１０を用いて説明する。図１０において、オペレータは、「チャンネル切換順序」ボタンをクリックする。そして、すべてのコマ画像に対する主プリントチャンネルでのプリントが終了した後に、一括して付加プリントチャンネルでのプリントを行わせる場合には、「付加プリント一括」のチェックボックスをクリックする。また、コマ画像毎に主プリントチャンネルと付加プリントチャンネルの切換処理を行わせる場合には、「コマ画像毎にプリント」のチェックボックスをクリックする。このようにして、プリントチャンネルの切換方法を設定できる。
【０１１４】
また、実施の形態１及び２において、付加プリントチャンネルの選択をオーダー画面上で行うように構成したが、特に限定されず、例えば、付加プリントチャンネルの選択をプレジャッジ画面上で行うように構成することもできる。かかる選択の手順について図１１を用いて説明する。図１１において、画面左上部に「付加プリントチャンネル：未設定」ボタンが表示される。このボタンをクリックすると、付加プリントを設定するための入力フィールドが表示される。この入力フィールド上で、付加プリントチャンネルとして設定したいプリントチャンネルのチェックボックスをクリックすることによって、付加プリントチャンネル設定できる。
また、実施の形態１及び２において、プリントチャンネルの設定や付加プリントチャンネルの選択の場合に、かかる設定または選択するためのフィールドを表示させるボタンをクリックさせ、表示されたフィールド内で、プリントチャンネルの設定や付加プリントチャンネルの選択をする構成であったが、特に限定されず、例えば、プリントチャンネルの設定や付加プリントチャンネルの選択のためのボタンをクリックするとオーダー画面とは別のウインドウが表示されて、このウインドウ上でプリントチャンネルの設定や付加プリントチャンネルの選択を行えるように構成してもよく、ＧＵＩによる入力画面は、適宜設計変更可能であり、特に限定されない。
また、実施の形態１及び２において、設定または選択の指示入力において、マウス５１を用いていたが、キーボードを用いて、直接に手入力するように構成してもよい。
【０１１５】
また、実施形態１及び２において、プリントチャンネル選択部３５は、主プリントチャンネルを選択し、かつ、付加プリントチャンネルを選択するように構成されていたが、これに限定されず、プリントチャンネル選択部３５は、主プリントチャンネルのみ選択し、付加プリントチャンネルを選択しないように構成することもできる。
さらに、本実施の形態において説明した写真処理装置１の動作について、ソフトウェアで実現し、当該ソフトウェアを、例えば、サーバー上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における写真処理装置１の動作をソフトウェアで実現した場合のプログラムは、以下のようになる。
【０１１６】
コンピュータに、すべてのコマ画像に対して設定されるプリントチャンネルである主プリントチャンネルと、付加的にプリントするコマ画像に対して設定されるプリントチャンネルである付加プリントチャンネルを１以上選択するステップと、コマ画像が表示される画面上で、付加プリントチャンネルでプリントするコマ画像を設定可能とする付加プリントコマ画像設定ステップと、付加プリントコマ画像設定ステップで設定されたコマ画像の写真プリントを作成する際に、プリントチャンネルを主プリントチャンネルから付加プリントチャンネルに切り換える制御をするプリントチャンネル切換制御ステップを実行させるためのプログラムである。
【図面の簡単な説明】
【０１１７】
【図１】実施の形態１及び２における写真処理装置１の構成を示すブロック図
【図２】実施の形態１及び２における写真処理装置１のプリントチャンネル設定の例を示す図
【図３】実施の形態１及び２における写真処理装置１のプリントチャンネル選択の例を示す図
【図４】実施の形態１及び２における写真処理装置１のマガジン切換手段について説明する図
【図５】実施の形態１における写真処理装置１の動作を説明するフローチャート
【図６】実施の形態１及び２における写真処理装置１の外観の例を示す図
【図７】実施の形態１及び２におけるプリントチャンネル設定データの例を示す図
【図８】実施の形態１及び２における付加プリントチャンネルでプリントするコマ画像選択の例を示す図
【図９】実施の形態１及び２における付加プリントコマ画像識別情報のデータの例を示す図
【図１０】他の実施の形態におけるプリントチャンネル切換方法の設定の例を示す図
【図１１】他の実施の形態における付加プリントチャンネル選択の例を示す図
【符号の説明】
【０１１８】
１          写真処理装置
１０        画像データ取得部
１１        スキャナー装置
２０        画像データ格納部
２１        補正データ格納部
２２        プリントチャンネル設定データ格納部
３０        装置制御手段
３１        ＧＵＩ
３２        画像処理部
３３        プリントチャンネル設定部
３４        プリントチャンネル選択部
３５        付加プリントコマ画像設定手段
３６        ハード制御部
４０        表示部
４１        液晶ディスプレイ
５０        入力部
５１        マウス
６０        データ蓄積部
６１        ハードディスク
７０        露光用画像データ生成手段
７１        送受信メモリ
７２        画像処理手段
７３        ファームウェア
８０        プリント手段
８１        露光エンジン
８２        第１ペーパーマガジン
８２１      第１のアクセスモータ
８２２      第１のプリントペーパー
８３        第２ペーパーマガジン
８３１      第２のアクセスモータ
８３２      第２のプリントペーパー
８４        マガジン切換手段
８４１      導入搬送機構
８４２      カッター
９０        プリントチャンネル切換制御部
【図１】
2006276183.tif 000003
【図２】
2006276183.tif 000004
【図３】
2006276183.tif 000005
【図４】
2006276183.tif 000006
【図５】
2006276183.tif 000007
【図６】
2006276183.tif 000008
【図７】
2006276183.tif 000009
【図８】
2006276183.tif 000010
【図９】
2006276183.tif 000011
【図１０】
2006276183.tif 000012
【図１１】
2006276183.tif 000013